(57)【要約】【課題】装置規模を抑えつつ、隣接するＲＦＩＤタグ装置への磁界、電界の漏洩を抑えることができるＲＦＩＤリーダ装置、ＲＦＩＤタグ装置、及び、ＲＦＩＤシステムを提供する。【解決手段】ＲＦＩＤリーダ装置１００は、リーダ制御回路１０１、リーダアンテナ１０２、磁性体１０５を備えている。リーダアンテナ１０２の略中心部には、ある程度の厚みを有する磁性体（フェライト、パーマロイなど）１０５が配設されている。リーダアンテナ１０２からは、送信信号ｓ１０２が送信される。このとき、送信信号ｓ１０２は、リーダアンテナ１０２の略中心部に配設されている磁性体１０５によりその磁界、電界が効率的に閉じ込められることで、リーダアンテナ１０２から狭範囲に送信される。【選択図】図１
2009070091.tif 000002
【特許請求の範囲】
【請求項１】
無線信号の送受信を行うタグアンテナ手段と、前記タグアンテナ手段で受信した受信信号を復調するとともに、前記タグアンテナ手段から送信する送信信号を生成するタグ制御手段とを備えるＲＦＩＤタグ装置と、
前記ＲＦＩＤタグ装置との間で、無線信号の送受信を行うリーダアンテナ手段と、前記リーダアンテナ手段による無線信号の送受信を制御するリーダ制御手段とを備えるＲＦＩＤリーダ装置とを備えるＲＦＩＤシステムであって、
前記ＲＦＩＤリーダ装置は、
前記リーダアンテナ手段の中に配設された磁性体を備えることを特徴とするＲＦＩＤシステム。
【請求項２】
無線信号の送受信を行うタグアンテナ手段と、前記タグアンテナ手段で受信した受信信号を復調するとともに、前記タグアンテナ手段から送信する送信信号を生成するタグ制御手段とを備えるＲＦＩＤタグ装置と、
前記ＲＦＩＤタグ装置との間で、無線信号の送受信を行うリーダアンテナ手段と、前記リーダアンテナ手段による無線信号の送受信を制御するリーダ制御手段とを備えるＲＦＩＤリーダ装置とを備えるＲＦＩＤシステムであって、
前記ＲＦＩＤタグ装置は、
前記タグアンテナ手段の中に配設された磁性体を備えることを特徴とするＲＦＩＤシステム。
【請求項３】
前記磁性体は、フェライトからなることを特徴とする請求項１または２に記載のＲＦＩＤシステム。
【請求項４】
前記磁性体は、パーマロイからなることを特徴とする請求項１または２に記載のＲＦＩＤシステム。
【請求項５】
前記ＲＦＩＤリーダ装置及びＲＦＩＤタグ装置は、更に、電磁シールドを備えることを特徴とする請求項１乃至４のいずれかに記載のＲＦＩＤシステム。
【請求項６】
前記リーダ制御手段は、更に、信号の衝突を回避するアンチコリジョン手段を備えることを特徴とする請求項１ないし５のいずれかに記載のＲＦＩＤシステム。
【請求項７】
前記タグ制御手段は、信号の衝突を回避するアンチコリジョン手段を備えることを特徴とする請求項１ないし５のいずれかに記載のＲＦＩＤシステム。
【請求項８】
前記リーダアンテナ手段、及び、前記タグアンテナ手段は、ループ型アンテナであることを特徴とする請求項１ないし７のいずれかに記載のＲＦＩＤシステム。
【請求項９】
前記リーダアンテナ手段、及び、前記タグアンテナ手段は、コイル型アンテナであることを特徴とする請求項１ないし７のいずれかに記載のＲＦＩＤシステム。
【請求項１０】
少なくとも２つ以上を一組として用いる複数の物品の各々に前記ＲＦＩＤタグ装置を実装し、
前記各組の物品数と同数の前記ＲＦＩDリーダ装置を一組で用い、
前記一組のＲＦＩＤリーダ装置と前記各組の物品に実装されている前記ＲＦＩＤタグ装置との間で、前記物品の組み合わせを示すペアリング情報を送受信するリーダ接続装置を更に備えることを特徴とする請求項１ないし９のいずれかに記載のＲＦＩＤシステム。
【請求項１１】
前記各組の物品数と同数の前記ＲＦＩDリーダ装置を一組として並列に配列し、
前記リーダ接続装置は、前記並列に配列された各組の前記ＲＦＩＤリーダ装置と、並列に配列された各組の物品に実装されている前記ＲＦＩＤリーダ装置との間で、前記各組の物品のペアリング情報を送受信することを特徴とする請求項１０記載のＲＦＩＤシステム。
【請求項１２】
前記ＲＦＩＤタグ装置の前記タグ制御手段への電源の供給を、受信した磁界、及び、電界に基いて供給することを特徴とする請求項１ないし１１のいずれかに記載のＲＦＩＤシステム。
【請求項１３】
前記ＲＦＩＤタグ装置の前記タグ制御手段への電源の供給を、自ＲＦＩＤタグ装置が備える電源装置に基いて供給することを特徴とする請求項１ないし１２のいずれかに記載のＲＦＩＤシステム。
【請求項１４】
前記ＲＦＩＤタグ装置の前記タグ制御手段への電源の供給を、自ＲＦＩＤタグ装置が備える電源装置に基いて供給し、
前記タグ制御手段は、
前記タグアンテナ手段が受信した磁界、及び、電界をトリガとして、前記送信信号を送信することを特徴とする請求項１ないし１２のいずれかに記載のＲＦＩＤシステム。
【請求項１５】
前記ＲＦＩＤタグ装置の前記タグ制御手段への電源の供給を、自ＲＦＩＤタグ装置の外部から供給される外部電源に基いて供給することを特徴とする請求項１ないし１４のいずれかに記載のＲＦＩＤシステム。
【発明の詳細な説明】
【技術分野】
【０００１】
本発明は、ＲＦＩＤタグ装置及びＲＦＩＤリーダ装置を用いる近距離無線システムに係り、特に至近距離間で通信を行なうＲＦＩＤシステムに関する。
【背景技術】
【０００２】
ＲＦＩＤ（Radio Frequency IDentification）は、無線タグ、無線ＩＣとも呼ばれ、物品を特定するために使用する無線装置として広く普及し始めている。ＲＦＩＤは、２つの装置から構成される。１つは、携帯電話等の基地局に相当するＲＦＩＤリーダ装置である。もう１つは、携帯電話の端末に相当するＲＦＩＤタグ装置である。ＲＦＩＤでは、１３．５６ＭＨｚ付近を境界に、ニアフィールドと呼ばれる領域で磁界を用いて通信を行なう場合と、通常の電界（電波）を用いた無線通信が行なわれる場合とに大別できる。近距離で通信を行なう場合には、上記の磁界を用いる場合が一般的である。
【０００３】
一方、ＲＦＩＤシステムでは、ＲＦＩＤタグ装置の電源供給に関して様々な構成が考えられる。一例として、パッシブ型タグ呼ばれるＲＦＩＤタグ装置では、ＲＦＩＤリーダ装置から電源が供給される。このパッシブ型タグを用いて至近距離で通信を行う場合には、磁界の変動を活用する。具体的には、ＲＦＩＤタグ装置のタグアンテナに交流電流を励起して、その交流電流を整流してタグの制御回路等への給電が行なわれる。
【０００４】
このようの磁界、電界をエネルギー、あるいは、情報として用いるＲＦＩＤタグ／リーダ装置で、通信を行なう場合には、各物品への通信制御を目的として、次のような従来技術が検討されている。
【０００５】
従来技術として、近距離での通信に加えて、遠距離での通信も想定することで、磁界、電界の漏洩を許容し、ＲＦＩＤリーダ装置のソフトウェア処理によって、その干渉を回避してＲＦＩＤタグ装置を識別する技術が提案されている（例えば、非特許文献１参照）。
【０００６】
図９は、従来のＲＦＩＤシステムの構成、動作を説明するための模式図である。また、図１０は、従来のＲＦＩＤシステムに用いられるＲＦＩＤリーダ装置の構成を示す模式図である。また、図１１は、同システムのＲＦＩＤタグ装置の構成を示す模式図である。
【０００７】
図９に示すように、物品Ａ、Ｂ、Ｃには、各々、固有の識別情報を有するＲＦＩＤタグ装置１−１〜１−３が配設されている。ＲＦＩＤリーダ装置２は、制御装置３による制御の下、ＲＦＩＤタグ装置１−１からの信号を受信し、処理の信号処理を行った後、制御装置３に供給するようになっている。
【０００８】
ＲＦＩＤリーダ装置２では、図１０に示すリーダ制御回路２１が、制御装置３から供給される制御信号ｓ１３１に従って送信信号ｓ１３２を生成する。該送信信号ｓ１３２は、リーダアンテナ２２から送信される。リーダアンテナ２２から送信された送信信号ｓ１３２は、図１１に示す、ＲＦＩＤタグ装置１−１のタグアンテナ１１で受信される。タグアンテナ１１で受信された受信信号ｓ３は、タグ制御回路１２に供給され、所定の信号処理が行なわれる。
【０００９】
ところで、図９に示すように、ＲＦＩＤリーダ装置２は、物品Ｃに実装されたＲＦＩＤタグ装置１−３からの送信信号も受信してしまう。このとき、ＲＦＩＤタグ装置１−１が適切な処理を行っても、信号をＲＦＩＤリーダ装置２に送信できない場合には、リーダ制御回路２１で受信信号ｓ１３４を適切に受信できない。
【００１０】
この場合、リーダ制御回路２１は、制御信号ｓ１３３を干渉制御回路２３に供給する。干渉制御回路２３は、制御信号ｓ１３３に従って、ＲＦＩＤリーダ装置２からの送信信号ｓ１３２の送信タイミングを変更するか、あるいは、過去の衝突履歴に応じて重み付けを考慮した制御を行う等の干渉制御を行う。この結果、ＲＦＩＤタグ装置１−１からの受信信号ｓ１３４を適切に受信して識別することが可能になる。
【００１１】
以上説明したように、図９乃至図１１に示す従来のＲＦＩＤタグ装置１−１〜１−３、ＲＦＩＤリーダ装置２では、隣接するＲＦＩＤタグ／リーダ装置への磁界、電界の漏洩を許容しつつ、ＲＦＩＤリーダ装置２の干渉制御回路２３にて衝突を回避しながら通信を実現する。
【非特許文献１】田中他、「ＵＨＦ帯ＲＦＩＤシステムにおけるリーダ干渉制御法」、信学総大２００６、Ｂ−５−１４７
【発明の開示】
【発明が解決しようとする課題】
【００１２】
ところで、複数のＲＦＩＤタグ装置と複数のＲＦＩＤタグ装置とが混在する状況として、例えば、複数の端子を所定の組み合わせで接続するような場合を想定する。このような場合には、各端子にＲＦＩＤタグ装置を実装し、接続された２つの端子同士の組み合わせ情報（ペアリング情報：それぞれのＲＦＩＤタグ及びリーダ装置間の識別情報の組み合わせ）を、２つのＲＦＩＤリーダ装置で読み取って、端子間接続に伴う誤りを防止したり、ペアリング情報を接続情報として活用したりすることが考えられる。また、適切なペアリング情報であるか否かを識別する機能も合わせて重要となる。
【００１３】
通常、上記状況では、識別する端子に実装されたＲＦＩＤタグ装置は、それぞれが密接して設置されている。従って、これらのＲＦＩＤタグ装置からペアリング情報を適切に読み込むためには、隣接するＲＦＩＤタグ／リーダ装置が複数存在する中で、特定の無線ＲＦＩＤタグ／リーダ装置のみでの通信が確保されることが必須となる。
【００１４】
すなわち、ＲＦＩＤタグ／リーダ装置をより至近距離に存在する特定の相手とのみで通信を実現するためには、ＲＦＩＤリーダ装置から送信された磁界、電界を限りなく低減させ、漏洩させないことが重要である。
【００１５】
しかしながら、上述した従来技術では、磁界、電界の漏洩を許容し、ソフトウェア的な処理で識別を行なっている。干渉が生じた場合には、ＲＦＩＤリーダ装置からの送信時間をずらす処理等を行なって識別を行っている。すなわち、上述したような至近距離での通信を考慮していないため、以下に述べるような問題がある。
【００１６】
例えば、従来技術では、磁界、電界の漏洩を許容するために、上述したような大量のＲＦＩＤタグ装置のペアリング情報を識別する場合には、干渉を検出する時間、また、干渉回避するために送信時間をずらす必要が生じる等、ペアリング情報を読み取る処理に膨大な時間がかかるという問題がある。
【００１７】
また、ＲＦＩＤリーダ装置に干渉制御回路、及び、ソフトウェア処理が必要になり、消費電力が大きくなり、回路規模も増加し、小型化を実現する上で問題となる。また、基本的に磁界、電界の漏洩を許容するために、異なる他のＲＦＩＤタグ／リーダ装置が近くに存在する場合には、大きな与干渉をそのＲＦＩＤタグ／リーダ装置に与え、誤動作を生じさせるという根本的な問題がある。また、各ＲＦＩＤリーダ装置が独自にＲＦＩＤタグ装置側の干渉を検出するので、干渉回避に時間がかかるという問題もある。また、従来技術は、ＵＨＦ帯に特化した干渉制御であるため、微弱無線等への適用が困難であるという問題がある。
【００１８】
さらに、従来技術では、ＲＦＩＤタグ／リーダ装置のペアリング情報を自動で読み書きする機能が実現されていない。従って、上述したような複数のＲＦＩＤタグ装置が混在する環境で使用する場合、隣接するＲＦＩＤタグ装置の送信信号を受信する可能性が高く、かつ、ペアリング情報を扱うことができないという問題がある。また、従来技術は、複数の距離が離れた装置ユニット間の衝突回避を実現することが目的であり、ある程度の伝搬が必須となる。従って、上述した至近距離でのペアリング情報のやり取りとは目的が大きく異なる。
【００１９】
本発明は、このような事情を考慮してなされたものであり、その目的は、複数のＲＦＩＤタグ装置が混在する環境で、装置規模を抑えつつ、隣接するＲＦＩＤタグ装置への磁界、電界の漏洩を抑えることができ、また、特定のＲＦＩＤリーダ装置とＲＦＩＤタグ装置間で、効率的に、かつ、短時間で、ペアリング情報を送受信することができるＲＦＩＤタグ／リーダ装置、及び、ＲＦＩＤシステムを提供することにある。
【課題を解決するための手段】
【００２０】
上述した課題を解決するために、本発明は、物品に実装され、無線信号の送受信を行うタグアンテナ手段と、前記タグアンテナ手段で受信した受信信号を復調するとともに、前記タグアンテナ手段から送信する送信信号を生成するタグ制御手段とを備えるＲＦＩＤタグ装置と、前記ＲＦＩＤタグ装置との間で、無線信号の送受信を行うリーダアンテナ手段と、前記リーダアンテナ手段による無線信号の送受信を制御するリーダ制御手段とを備えるＲＦＩＤリーダ装置とを備えるＲＦＩＤシステムであって、前記ＲＦＩＤリーダ装置は、前記リーダアンテナ手段の中に配設された磁性体を備えることを特徴とするＲＦＩＤシステムである。
【００２１】
また、上述した課題を解決するために、本発明は、物品に実装され、無線信号の送受信を行うタグアンテナ手段と、前記タグアンテナ手段で受信した受信信号を復調するとともに、前記タグアンテナ手段から送信する送信信号を生成するタグ制御手段とを備えるＲＦＩＤタグ装置と、前記ＲＦＩＤタグ装置との間で、無線信号を送受信を行うリーダアンテナ手段と、前記リーダアンテナ手段による無線信号の送受信を制御するリーダ制御手段とを備えるＲＦＩＤリーダ装置とを備えるＲＦＩＤシステムであって、前記ＲＦＩＤタグ装置は、前記タグアンテナ手段の中に配設された磁性体を備えることを特徴とするＲＦＩＤシステムである。
【００２２】
本発明は、上記の発明において、前記磁性体は、酸化鉄を主成分とするフェライトからなることを特徴とする。
【００２３】
本発明は、上記の発明において、前記磁性体は、鉄とニッケルとの合金であるパーマロイからなることを特徴とする。
【００２４】
本発明は、上記の発明において、前記ＲＦＩＤリーダ装置及びＲＦＩＤタグ装置は、更に、電磁シールドを備えることを特徴とする。
【００２５】
本発明は、上記の発明において、前記リーダ制御手段は、更に、信号の衝突を回避するアンチコリジョン手段を備えることを特徴とする。
【００２６】
本発明は、上記の発明において、前記タグ制御手段は、信号の衝突を回避するアンチコリジョン手段を備えることを特徴とする。
【００２７】
本発明は、上記の発明において、前記リーダアンテナ手段、及び、前記タグアンテナ手段は、ループ型アンテナであることを特徴とする。
【００２８】
本発明は、上記の発明において、前記リーダアンテナ手段、及び、前記タグアンテナ手段は、コイル型アンテナであることを特徴とする。
【００２９】
本発明は、上記の発明において、少なくとも２つ以上を一組として用いる複数の物品の各々に前記ＲＦＩＤタグ装置を実装し、前記各組の物品数と同数の前記ＲＦＩDリーダ装置を一組で用い、前記一組のＲＦＩＤリーダ装置と前記各組の物品に実装されている前記ＲＦＩＤタグ装置との間で、前記物品の組み合わせを示すペアリング情報を送受信するリーダ接続装置を更に備えることを特徴とする。
【００３０】
本発明は、上記の発明において、前記各組の物品数と同数の前記ＲＦＩDリーダ装置を一組として並列に配列し、前記リーダ接続装置は、前記並列に配列された各組の前記ＲＦＩＤリーダ装置と、並列に配列された各組の物品に実装されている前記ＲＦＩＤリーダ装置との間で、前記各組の物品のペアリング情報を送受信することを特徴とする。
【００３１】
本発明は、上記の発明において、前記ＲＦＩＤタグ装置の前記タグ制御手段への電源の供給を、受信した磁界、及び、電界に基いて供給することを特徴とする。
【００３２】
本発明は、上記の発明において、前記ＲＦＩＤタグ装置の前記タグ制御手段への電源の供給を、自ＲＦＩＤタグ装置が備える電源装置に基いて供給することを特徴とする。
【００３３】
本発明は、上記の発明において、前記ＲＦＩＤタグ装置の前記タグ制御手段への電源の供給を、自ＲＦＩＤタグ装置が備える電源装置に基いて供給し、前記タグ制御手段は、前記タグアンテナ手段が受信した磁界、及び、電界をトリガとして、前記送信信号を送信することを特徴とする。
【００３４】
本発明は、上記の発明において、前記ＲＦＩＤタグ装置の前記タグ制御手段への電源の供給を、自ＲＦＩＤタグ装置の外部から供給される外部電源に基いて供給することを特徴とする。
【発明の効果】
【００３５】
この発明によれば、ＲＦＩＤリーダ装置のリーダアンテナ手段の中、あるいは、特に略中心部に磁性体を配設する。したがって、磁性体により、リーダアンテナ手段で磁束、電界が閉じ込められてタグアンテナ手段に伝送されるので、必要な電力を抑えつつ、すなわち、漏洩する可能性のある電力を抑えながら通信を行なうことができる。したがって、隣接するＲＦＩＤタグ装置が複数存在する中でも、特定のＲＦＩＤタグ装置とのみ通信を行うことができるという利点が得られる。
【００３６】
また、この発明によれば、ＲＦＩＤタグ装置のタグアンテナ手段の中、あるいは、特に略中心部に磁性体を配設する。したがって、磁性体により、タグアンテナ手段で磁束、電界が閉じ込められてリーダアンテナ手段に伝送されるので、必要な電力を抑えつつ、すなわち、漏洩する可能性のある電力を抑えながら通信を行なうことができる。したがって、隣接するＲＦＩＤリーダ装置が複数存在する中でも、特定のＲＦＩＤリーダ装置とのみ通信を行うことができるという利点が得られる。
【００３７】
また、本発明によれば、磁性体を、酸化鉄を主成分とするフェライトとする。したがって、効率的に、磁界、電界を閉じ込めることができ、アンテナの大きさも抑えられることになり、ＲＦＩＤリーダ装置及びＲＦＩＤタグ装置の回路規模も大幅に削減することができるという利点が得られる。
【００３８】
また、本発明によれば、磁性体を、鉄とニッケルとの合金であるパーマロイとする。したがって、効率的に、磁界、電界を閉じ込めることができ、アンテナの大きさも抑えられることになり、ＲＦＩＤリーダ装置及びＲＦＩＤタグ装置の回路規模も大幅に削減することができるという利点が得られる。
【００３９】
また、本発明によれば、ＲＦＩＤリーダ装置及びＲＦＩＤタグ装置に、電磁シールドを設ける。したがって、ＲＦＩＤリーダ装置からの漏洩を完全に遮断することができ、極めて微弱の磁界、電界の漏洩も許さない環境での使用や、経年劣化で磁性体等からの漏洩が生じる場合にも適用することができるという利点が得られる。
【００４０】
また、本発明によれば、リーダ制御手段に、信号の衝突を回避するアンチコリジョン手段を設ける。したがって、ＲＦＩＤリーダ装置及びＲＦＩＤタグ装置からの応答をリーダ制御手段で衝突識別することができ、干渉電力が大きい他装置との混在環境で使用する場合にも、衝突を回避することができるという利点が得られる。
【００４１】
また、本発明によれば、タグ制御手段に、信号の衝突を回避するアンチコリジョン手段を設ける。したがって、ＲＦＩＤリーダ装置及びＲＦＩＤタグ装置からの応答をタグ制御手段で衝突識別することができ、干渉電力が大きい他装置との混在環境で使用する場合にも、衝突を回避することができるという利点が得られる。
【００４２】
また、本発明によれば、リーダアンテナ手段、及び、タグアンテナ手段を、ループ型アンテナとする。したがって、ＲＦＩＤタグ装置の断面積を抑えられ、小型化することができ、プリント基板上にも十分に実装することができるという利点が得られる。
【００４３】
また、本発明によれば、リーダアンテナ手段、及び、タグアンテナ手段を、コイル型アンテナとする。したがって、ＲＦＩＤタグ装置の断面積を抑えられ、小型化することができ、プリント基板上にも十分に実装することができるとともに、コイルの巻き数等の制御が可能になり、容易に通信距離、起電力等のパラメータを変更することができるという利点が得られる。
【００４４】
また、本発明によれば、少なくとも２つ以上を一組として用いる複数の物品の各々にＲＦＩＤタグ装置を実装し、各組の物品数と同数のＲＦＩDリーダ装置を一組で用い、一組のＲＦＩＤリーダ装置と各組の物品に実装されているＲＦＩＤタグ装置との間で、物品の組み合わせを示すペアリング情報を送受信する。したがって、隣接するＲＦＩＤタグ／リーダ装置への磁界、電界の漏洩を抑えることができることに加え、効率的に、かつ短時間で、組み合わせが必要な物品のペアリング情報を取得することができ、該ペアリング情報をデータベース化するなどして活用することができるという利点が得られる。
【００４５】
また、本発明によれば、各組の物品数と同数の前記ＲＦＩDリーダ装置を一組として並列に配列し、該各組のＲＦＩＤリーダ装置と、並列に配列された各組の物品に実装されているＲＦＩＤリーダ装置との間で、各組の物品のペアリング情報を送受信する。したがって、効率的に、かつ、短時間で、組み合わせが必要な複数個並んだ、物品の複数のペアリング情報を取得することができ、複数のペアリング情報を同時に扱うことで、隣接する組み合わせに起因するペアリング情報の誤情報取得を回避することができるという利点が得られる。
【発明を実施するための最良の形態】
【００４６】
以下、本発明の一実施形態を、図面を参照して説明する。
【００４７】
＜第１実施形態＞
本発明の第１実施形態について説明する。
図１は、本第１実施形態によるＲＦＩＤリーダ装置の構成を示す模式図である。図１において、ＲＦＩＤリーダ装置１００は、リーダ制御回路（リーダ制御手段）１０１、リーダアンテナ（リーダアンテナ手段）１０２、磁性体１０５を備えている。リーダ制御回路１０１は、図示しない制御装置からの信号ｓ１０１に従って、後述するＲＦＩＤタグ装置１１０に送信すべき送信信号ｓ１０２を生成する。リーダアンテナ１０２は、送信信号ｓ１０２を送信する。リーダアンテナ１０２の略中心部には、ある程度の厚みを有する磁性体１０５が配設されている。なお、この磁性体１０５の厚みは、リーダアンテナ１０２より薄くしてもよいし、厚くしてもよいし、同程度でもよい。該磁性体１０５は、リーダアンテナ１０２での磁界、電界を効率的に閉じ込める効果、すなわち、ＲＦＩＤリーダ装置１００と後述するＲＦＩＤタグ装置１１０との間における送受信信号を狭範囲で送受信する効果を有する。磁性体１０５としては、酸化鉄を主成分とするフェライトや、鉄とニッケルとの合金であるパーマロイなどを用いることが好ましいが、これに限定されない。
【００４８】
また、図２は、本第１実施形態によるＲＦＩＤタグ装置の構成を示す模式図である。図２において、ＲＦＩＤタグ装置１１０は、タグアンテナ１１１及びタグ制御回路１１２を備えている。タグアンテナ１１１は、ＲＦＩＤリーダ装置１００から送信される送信信号ｓ１０２を受信し、受信信号ｓ１０３としてタグ制御回路１１２に供給する。タグ制御回路１１２は、受信信号ｓ１０３に従って所定の処理を行う。
【００４９】
次に、本第１実施形態の動作について説明する。
ＲＦＩＤリーダ装置１００では、図示しない制御装置からの信号ｓ１０１がリーダ制御回路１０１に供給され、ＲＦＩＤタグ装置１１０への送信信号ｓ１０２が生成される。リーダアンテナ１０２からは、送信信号ｓ１０２が送信される。このとき、送信信号ｓ１０２は、リーダアンテナ１０２の略中心部に配設されている磁性体１０５によりその磁界、電界が効率的に閉じ込められることで、リーダアンテナ１０２から狭範囲に送信される。ＲＦＩＤタグ装置１１０では、タグアンテナ１１１で受信された受信信号ｓ１０３がタグ制御回路１１２に供給され、受信信号ｓ１０３に従って所定の処理が行なわれる。
【００５０】
なお、本第１実施形態では、ＲＦＩＤタグ装置１１０への書き込み、ＲＦＩＤタグ装置１１０からの読み込みが可能である。また、ＲＦＩＤリーダ装置１００からの書き出し、ＲＦＩＤリーダ装置１００への読み込みが当然可能である。
【００５１】
上述した第１実施形態によれば、リーダアンテナ１０２の略中心部にフェライト、パーマロイ等に代表される磁性体を設けることで、磁束、電界を閉じ込めてタグアンテナ１１１に伝送するようにしたので、必要な電力を抑えながら、即ち、漏洩する可能性のある電力を抑えながら通信を行なうことが可能になる。従って、隣接するＲＦＩＤタグ装置が複数存在する中でも、特定のＲＦＩＤタグ装置とのみ通信することができる。
【００５２】
また、磁性体として、フェライト、パーマロイ等を用いることで、効率的な磁界、電界の伝達が可能になり、アンテナの大きさを抑えることができ、ＲＦＩＤタグ／リーダ装置の回路規模を大幅に削減することができる。
【００５３】
また、隣接するＲＦＩＤタグ／リーダ装置への磁界、電界の漏洩を抑えるので、従来技術で必要であった磁界、電界を閉空間に閉じ込めるシールドが不要となる。従って、シールドが不要になることに起因するコスト削減に留まらず、各ＲＦＩＤタグ／リーダ装置の設置の自由度を向上させることができる。また、設置面積が大幅に縮小されるために、小型の物品出会ってもＲＦＩＤタグ／リーダ装置を実装することができる。
【００５４】
＜第１実施形態の変形例＞
次に、本第１実施形態の変形例について説明する。
図３は、本第１実施形態の変形例によるＲＦＩＤタグ装置１１０の構成を示す模式図である。なお、図２に対応する部分には同一の符号を付けて説明を省略する。図３において、ＲＦＩＤタグ装置１１０は、内部電池１１３を備えており、タグ制御回路１１２に電源を供給する。この場合、タグ制御回路１１２からの送信は、受信した磁界、及び、電波をトリガとして開始される。
【００５５】
したがって、ＲＦＩＤタグ装置１１０に内部電池１１３を備えることにより、ＲＦＩＤタグ装置１１０からの長い伝搬距離を確保することができる。あるいは、長期に渡るＲＦＩＤタグ装置１１０の使用が可能になる。また、ＲＦＩＤリーダ装置１００からの送信信号の電力を用いて至近距離の通信を行なう場合と、内部電池１１３を用いて通信を行なう場合とを併用することができる。
【００５６】
＜第２実施形態＞
次に、本発明の第２実施形態について説明する。
図４は、本第２実施形態によるＲＦＩＤリーダ装置の構成を示す模式図である。図４において、ＲＦＩＤリーダ装置２００は、リーダ制御回路２０１、リーダアンテナ２０２を備えている。リーダ制御回路２０１は、図示しない制御装置からの信号ｓ２０１に従って、後述するＲＦＩＤタグ装置２１０に送信すべき送信信号ｓ２０２を生成する。リーダアンテナ２０２は、送信信号ｓ１０２を送信する。
【００５７】
次に、図５は、本第２実施形態によるＲＦＩＤタグ装置の構成を示す模式図である。図５において、ＲＦＩＤタグ装置２１０は、タグアンテナ２１１、タグ制御回路２１２及び磁性体２１５を備えている。タグアンテナ２１１は、ＲＦＩＤリーダ装置２００から送信される送信信号ｓ２０２を受信し、受信信号ｓ２０３としてタグ制御回路２１２に供給する。タグアンテナ２１１の略中心部には、ある程度の厚みを有する磁性体（フェライト、パーマロイなど）２１５が配設されており、上側部分がリーダアンテナ２０２の内部に入るように上側部分が突出した構造を有する。なお、この磁性体２１５の厚みは、リーダアンテナ２０２より薄くしてもよいし、厚くしてもよいし、同程度でもよい。該磁性体２１５は、タグアンテナ２１１での磁界、電界を効率的に閉じ込める効果、すなわち、ＲＦＩＤリーダ装置２００と後述するＲＦＩＤタグ装置２１０との間における送受信信号を狭範囲で送受信する効果を有する。
【００５８】
次に、本第２実施形態の動作について説明する。
ＲＦＩＤリーダ装置２００では、図示しない制御装置からの信号ｓ２０１がリーダ制御回路２０１に供給され、タグへの送信信号ｓ２０２が生成される。リーダアンテナ２０２からは、送信信号ｓ２０２が送信される。ＲＦＩＤタグ装置２１０では、タグアンテナ２１１の略中心部に配設されている磁性体２１５により近傍の磁界、電界が閉じ込められることで、タグアンテナ２１１で効率的に送信信号ｓ２０２が受信される。該受信された受信信号ｓ２０３は、タグ制御回路２１２に供給され、受信信号ｓ２０３に従って所定の処理が行なわれる。
【００５９】
なお、本第２実施形態では、ＲＦＩＤタグ装置２１０への書き込み、ＲＦＩＤタグ装置２１０からの読み込みが可能である。また、ＲＦＩＤリーダ装置２００からの書き出し、ＲＦＩＤリーダ装置２００への読み込みが当然可能である。
【００６０】
上述した第２実施形態によれば、タグアンテナ２１１の略中心部にフェライト、パーマロイ等に代表される磁性体を設けることで、磁束、電界を閉じ込めるようにしたので、必要な電力を抑えながら、即ち、漏洩する可能性のある電力を抑えながら通信を行なうことが可能になる。従って、他のＲＦＩＤタグ装置や、ＲＦＩＤリーダ装置が隣接して複数存在する中でも、特定のＲＦＩＤリーダ装置とＲＦＩＤタグ装置との間で通信することができる。
【００６１】
また、磁性体として、フェライト、パーマロイ等を用いることで、効率的な磁界、電界の伝達が可能になり、アンテナの大きさを抑えることができ、ＲＦＩＤタグ／リーダ装置の回路規模を大幅に削減することができる。
【００６２】
また、隣接するＲＦＩＤタグ／リーダ装置への磁界、電界の漏洩を抑えるので、磁界、電界を閉空間に閉じ込めるシールドが不要となる。従って、シールドが不要になることに起因するコスト削減に留まらず、各ＲＦＩＤタグ／リーダ装置の設置の自由度を向上させることができる。また、設置面積が大幅に縮小されるために、小型の物品であってもＲＦＩＤタグ装置を実装することができる。
【００６３】
＜第２実施形態の変形例＞
次に、本第２実施形態の変形例について説明する。
図６は、本第２実施形態の変形例によるＲＦＩＤタグ装置２１０の構成を示す模式図である。なお、図５に対応する部分には同一の符号を付けて説明を省略する。図６において、ＲＦＩＤタグ装置２１０は、内部電池２１３を備えており、タグ制御回路２１２に電源を供給する。この場合、タグ制御回路２１２からの送信は、受信した磁界、及び、電波をトリガとして開始される。
【００６４】
したがって、ＲＦＩＤタグ装置２１０に内部電池２１３を備えることにより、ＲＦＩＤタグ装置２１０からの長い伝搬距離を確保することができる。あるいは、長期に渡るＲＦＩＤタグ装置２１０の使用が可能になる。また、ＲＦＩＤリーダ装置２００からの送信信号の電力を用いて至近距離の通信を行なう場合と、内部電池２１３を用いて通信を行なう場合とを併用することができる。
【００６５】
＜第３実施形態＞
次に、本第３実施形態について説明する。
図７（ａ）、（ｂ）は、本第３実施形態によるＲＦＩＤシステムの構成を示す模式図である。図７（ａ）には、ＲＦＩＤタグ装置と該ＲＦＩＤタグ装置に近接させたＲＦＩＤリーダ装置との上面図が示されており、図７（ｂ）には、ＲＦＩＤタグ装置と該ＲＦＩＤタグ装置に近接させたＲＦＩＤリーダ装置との側面図が示されている。
【００６６】
制御装置１００１は、ＲＦＩＤリーダ装置１００３、１００４から送信するための信号ｓ１００１をＲＦＩＤリーダ接続装置１００２に供給するとともに、該ＲＦＩＤリーダ接続装置１００２からのペアリング情報信号ｓ１００２を蓄積する。リーダ接続装置１００２は、１組のＲＦＩＤリーダ装置１００３、１００４を備えており、ＲＦＩＤリーダ装置１００３、１００４とＲＦＩＤタグ装置１００５、１００６との通信を制御する。
【００６７】
また、リーダ接続装置１００２は、制御装置１００１からの信号ｓ１００１に従って、ＲＦＩＤリーダ装置１００３、１００４を介して、ＲＦＩＤタグ装置１００５、１００６のそれぞれに対して、対応する端子Ａ（コネクタ：物品）１００７と端子Ｂ（プラグ：物品）１００８の識別情報を記憶させる一方、記憶されている識別情報を読み出し、ペアリング情報信号ｓ１００２として制御装置１００１に供給する。ＲＦＩＤリーダ装置１００３、１００４は、対向する１組のＲＦＩＤタグ装置１００５、１００６との間で通信を行う。
【００６８】
ＲＦＩＤタグ装置１００５、１００６は、各々、一組の端子Ａ（コネクタ）１００７と端子Ｂ（プラグ）１００８とに実装されている。ＲＦＩＤタグ装置１００５、１００６は、ＲＦＩＤリーダ装置１００３、１００４からの信号に従って、端子Ａ（コネクタ）１００７と端子Ｂ（プラグ）１００８の識別情報を記憶したり、記憶している識別情報を送信したりする。
【００６９】
なお、図には示していないが、本第３実施形態においても、ＲＦＩＤリーダ装置１００３、１００４、ＲＦＩＤタグ装置１００５、１００６は、前述した第１乃至第２実施形態で説明したように、それぞれ、リーダ制御回路及びリーダアンテナ、タグ制御回路及びタグアンテナを備えている。また、前述した第１乃至第２実施形態で説明したように、ＲＦＩＤリーダ装置１００３、１００４のリーダアンテナ、または、ＲＦＩＤタグ装置１００５、１００６のタグアンテナの少なくとも一方には、そのアンテナの中、または、その略中心部に磁性体（フェライト、パーマロイなど）が配設されている。磁性体は、リーダアンテナ、あるいは、タグアンテナでの磁界、電界を効率的に閉じ込める効果を有する。
【００７０】
端子Ａ（コネクタ）１００５と端子Ｂ（プラグ）１００６としては、例えば、各種光ファイバ接続コネクタ、イーサネット（登録商標）用コネクタ／プラグ／接続ポート、ＦＡＳコネクタプラグ／ソケット（戸外用コネクタ、架空クロージャ等に適用）、ＦＡＳコネクタプラグ（素線タイプ、ドロップタイプ、共に適用が可能）、ＦＡコネクタプラグ／ソケット（宅内での接続に適用）、ＳＣ（Single Coupling）コネクタ、ＭＴコネクタ（局内での接続に使用）、ＭＵ（Miniature Unit coupling）コネクタ（局内での接続に使用）、ＭＣコネクタ、ＦＭＣコネクタ等がある。
【００７１】
次に、本第３実施形態の動作について説明する。
制御装置１００１からの信号ｓ１００１は、ペアリング情報を取得制御するリーダ接続装置１００２に供給される。リーダ接続装置１００２に接続された各ＲＦＩＤリーダ装置１００３、１００４は、各々、対向するＲＦＩＤタグ装置１００５、１００６と通信を行い、端子Ａ１００７と端子Ｂ１００８のペアリング情報の読み書きが実行される。取得されたペアリング情報は、リーダ接続装置１００２を経由して、ペアリング情報信号ｓ１００２として、制御装置１００１にて蓄積される。
【００７２】
上述した第３実施形態によれば、隣接するＲＦＩＤタグ／リーダ装置への磁界、電界の漏洩を抑えることができることに加え、効率的に、短時間で、組み合わせが必要な端子、コネクタのペアリング情報を取得することができ、該ペアリング情報をデータベース化するなどして活用することができる。
【００７３】
＜第４実施形態＞
次に、本発明の第４実施形態について説明する。
図８（ａ）、（ｂ）は、本第４実施形態によるＲＦＩＤシステムの構成を示す模式図である。図８（ａ）には、ＲＦＩＤタグ装置と該ＲＦＩＤタグ装置に近接させたＲＦＩＤリーダ装置との上面図が示されており、図８（ｂ）には、ＲＦＩＤタグ装置と該ＲＦＩＤタグ装置に近接させたＲＦＩＤリーダ装置との側面図が示されている。
【００７４】
制御装置１１０１は、ＲＦＩＤリーダ装置１１０３−１〜１１０３−ｎ、１１０４−１〜１１０４−ｎから送信するための信号ｓ１１０１をＲＦＩＤリーダ接続装置１１０２に供給するとともに、該ＲＦＩＤリーダ接続装置１１０２からのペアリング情報信号ｓ１１０２を蓄積する。リーダ接続装置１１０２は、ｎ組のＲＦＩＤリーダ装置１１０３−１〜１１０３−ｎ、１１０４−１〜１１０４−ｎを備えている。リーダ接続装置１１０２は、ＲＦＩＤリーダ装置１１０３−１〜１１０３−ｎ、１１０４−１〜１１０４−ｎとＲＦＩＤタグ装置１１０５−１〜１１０５−ｎ、１１０６−１〜１１０６−ｎとの通信を制御する。
【００７５】
ＲＦＩＤリーダ装置１１０３−１〜１１０３−ｎ、１１０４−１〜１１０４−ｎは、２つで一組として用いられ、各組が並列に配列されている。すなわち、ＲＦＩＤリーダ装置１１０３−１〜１１０３−ｎ、１１０４−１〜１１０４−ｎは、並列に配列された、２つで一組として用いられる、端子Ａ（コネクタ）１１０７−１〜１１０７−ｎと端子Ｂ（プラグ）１１０８−１〜１１０８−ｎに実装された、ＲＦＩＤタグ装置１１０５−１〜１１０５−ｎ、１１０６−１〜１１０６−ｎと対向するようになっている。
【００７６】
また、リーダ接続装置１１０２は、制御装置１１０１からの信号ｓ１１０１に従って、ＲＦＩＤリーダ装置１１０３−１〜１１０３−ｎ、１１０４−１〜１１０４−ｎを介して、ＲＦＩＤタグ装置１１０５−１〜１１０５−ｎ、１１０６−１〜１１０６−ｎのそれぞれに対して、対応する端子Ａ（コネクタ）１１０７−１〜１１０７−ｎと端子Ｂ（プラグ）１１０８−１〜１１０８−ｎの識別情報を記憶させる一方、記憶されている識別情報を読み出し、ペアリング情報信号ｓ１１０２として制御装置１１０１に供給する。
【００７７】
ＲＦＩＤリーダ装置１１０３−１〜１１０３−ｎ、１１０４−１〜１１０４−ｎは、各々、端子Ａ（コネクタ）１１０７−１〜１１０７−ｎと端子Ｂ（プラグ）１１０８−１〜１１０８−ｎに実装されており、それぞれ対向するＲＦＩＤタグ装置１１０５−１〜１１０５−ｎ、１１０６−１〜１１０６−ｎとの間で通信を行う。
【００７８】
また、ＲＦＩＤタグ装置１１０５−１〜１１０５−ｎ、１１０６−１〜１１０６−ｎは、ＲＦＩＤリーダ装置１１０３−１〜１１０３−ｎ、１１０４−１〜１１０４−ｎからの信号に従って、端子Ａ（コネクタ）１１０７−１〜１１０７−ｎと端子Ｂ（プラグ）１１０８−１〜１１０８−ｎの識別情報を記憶したり、記憶している識別情報を送信したりする。
【００７９】
なお、図には示していないが、本第４実施形態においても、ＲＦＩＤリーダ装置１１０３−１〜１１０３−ｎ、１１０４−１〜１１０４−ｎ、ＲＦＩＤタグ装置１１０５−１〜１１０５−ｎ、１１０６−１〜１１０６−ｎは、前述した第１乃至第２実施形態で説明したように、それぞれ、リーダ制御回路及びリーダアンテナ、タグ制御回路及びタグアンテナを備えている。また、前述した第１乃至第２実施形態で説明したように、ＲＦＩＤリーダ装置１１０３−１〜１１０３−ｎ、１１０４−１〜１１０４−ｎのリーダアンテナ、または、ＲＦＩＤタグ装置１１０５−１〜１１０５−ｎ、１１０６−１〜１１０６−ｎのタグアンテナの少なくとも一方には、そのアンテナの中、または、その略中心部に磁性体（フェライト、パーマロイなど）が配設されている。磁性体は、リーダアンテナ、あるいは、タグアンテナでの磁界、電界を効率的に閉じ込める効果を有する。
【００８０】
また、端子Ａ（コネクタ）１１０７−１〜１１０７−ｎと端子Ｂ（プラグ）１１０８−１〜１１０８−ｎとしては、前述した第３実施形態と同様に、各種光ファイバ接続コネクタ、イーサネット（登録商標）用コネクタ／プラグ／接続ポート、ＦＡＳコネクタプラグ／ソケット、ＦＡＳコネクタプラグ、ＦＡコネクタプラグ／ソケット、ＳＣコネクタ、ＭＴコネクタ、ＭＵコネクタ）、ＭＣコネクタ、ＦＭＣコネクタ等がある。
【００８１】
次に、本第４実施形態の動作について説明する。
制御装置１１０１からの信号ｓ１１０１は、ペアリング情報を取得制御するリーダ接続装置１１０２に供給される。リーダ接続装置１１０２に接続された各ＲＦＩＤリーダ装置１１０３−１、１１０４−１は、各々、対向するＲＦＩＤタグ装置１１０５−１、１１０６−１と通信を行う。これと同時に、あるいは、順次に、リーダ接続装置１１０２に接続された各ＲＦＩＤリーダ装置１１０３−２〜１１０３−ｎ、１１０４−２〜１１０４−ｎは、各々、対向するＲＦＩＤタグ装置１１０５−２〜１１０５−ｎ、１１０６−２〜１１０６−ｎと通信を行い、端子Ａ１１０７−２〜１１０７−ｎと端子Ｂ１１０８−２〜１１０８−ｎのペアリング情報の読み書きを行う。一括取得されたペアリング情報は、リーダ接続装置１１０２を経由して、ペアリング情報信号ｓ１１０２として、制御装置１１０１にて蓄積される。
【００８２】
上述した第４実施形態によれば、並列に設置、あるいは、上下左右に隣接するＲＦＩＤタグ／リーダ装置への磁界、電界の漏洩を抑えることができ、干渉が生じないことに加え、効率的に、かつ、短時間で、組み合わせが必要な複数個並んだ、端子、コネクタの複数のペアリング情報を取得することができる。また、複数のペアリング情報を同時に扱うことで、隣接する組み合わせに起因するペアリング情報の誤情報取得を回避することができる。
【００８３】
なお、上述した第１乃至第４実施形態において、ＲＦＩＤリーダ／タグ装置（ＲＦＩＤリーダ装置１００、２００、１００３、１００４、１１０３−１〜１１０３−ｎ、１１０４−１〜１１０４−ｎ、ＲＦＩＤタグ装置１１０、２１０、１００５、１００６、１１０５−１〜１１０５−ｎ、１１０６−１〜１１０６−ｎ（以下では、単に、ＲＦＩＤタグ／リーダ装置という）は、さらに、背面に配設された電磁シールドを備え、周囲金属の影響を受けない構造としてもよい。これにより、ＲＦＩＤタグ／リーダ装置からの漏洩を完全に遮断することが可能になる。また、極めて微弱の磁界、電界の漏洩も許さない環境での使用や、経年劣化で磁性体等からの漏洩が生じる場合にも適用が可能である。この場合、電磁波吸収シートを電磁シールドの代わりに用いることも可能である。
【００８４】
また、上述した第１乃至第４実施形態において、リーダ制御回路１０１、２０１に衝突を回避するアンチコリジョン機能（アンチコリジョン手段）を備えるようにしてもよい。これにより、ＲＦＩＤリーダ／タグ装置からの応答をリーダ制御回路１０１、２０１で衝突識別することが可能になる。あるいは、リーダ制御回路１０１、２０１のアンチコリジョン機能をリーダ接続装置１００２、１１０２に適用することで、所望のペアリング情報を取得することも可能になる。また、干渉電力が大きい他装置との混在環境で使用する場合にも、衝突を回避することが可能になる。
【００８５】
また、上述した第１乃至第４実施形態において、タグ制御回路１１２、２１２に衝突を回避するアンチコリジョン機能（アンチコリジョン手段）を備えるようにしてもよい。これにより、ＲＦＩＤタグ／リーダ装置からの応答をタグ制御回路１１２、２１２で衝突識別することが可能になる。あるいは、タグ制御回路１１２、２１２のアンチコリジョン機能をリーダ制御回路１０１、２０１に通知することで、所望のペアリングを取得することも可能になる。また、干渉電力が大きい他装置との混在環境で使用する場合にも、衝突を回避することが可能になる。
【００８６】
また、上述した第１乃至第４実施形態において、リーダアンテナ１０２、２０２、及び、タグアンテナ１１１、２１１をループ型アンテナとしてもよい。この場合、ＲＦＩＤタグ／リーダ装置の断面積を抑えることができ、小型化が可能となる。また、プリント基板上にも十分に実装が可能になる。
【００８７】
また、上述した第１乃至第４実施形態において、リーダアンテナ１０２、２０２、及び、タグアンテナ１１１、２１１をコイル型アンテナとしてもよい。この場合、コイル型アンテナであることからＲＦＩＤタグ／リーダ装置の断面積を抑えることが可能となり、小型化が可能となる。また、プリント基板上にも十分に実装が可能になる。さらに、コイルの巻き数等の制御が可能になり、通信距離、起電力等のパラメータも容易に変更可能になる。
【００８８】
また、上述した第１乃至第４実施形態において、ＲＦＩＤタグ装置１１０、２１０のタグ制御回路１１２、２１２への電力供給を、別途、ＲＦＩＤタグ装置１１０、２１０が備えない外部媒体（外部電源）、例えば、外部の漏洩同軸ケーブル、外部設置のコイル、有線供給接続等により給電するようにしてもよい。この場合、ＲＦＩＤタグ装置１１０、２１０からの長い伝搬距離を確保することが可能になる。あるいは、長期に渡るＲＦＩＤタグ装置１１０、２１０の使用が可能になる。さらには、ＲＦＩＤリーダ装置１００、２００からの送信信号の電力を用いて至近距離の通信を行なう場合と、外部媒体からの給電を用いて通信を行なう場合とを併用することが可能になる。また、電池の化学的な寿命が問題となる場合でも、外部媒体から給電することにより、ＲＦＩＤタグ装置１１０、２１０の長寿命化も可能となる。
【００８９】
また、上述した第１乃至第４実施形態において、運用する周波数の依存性はなく、当然、複数の周波数帯に適用が可能である。このときには、ループアンテナのサイズ、磁性体のサイズを適宜変えることで十分に適用が可能である。また、微弱無線への適用が当然可能である。
【００９０】
また、上述した第１乃至第４実施形態において、通信方法は、一方向の情報の送受信だけでは無く、双方向のデータのやり取りが当然可能である。このとき、例えば、ＲＦＩＤタグ装置からＲＦＩＤリーダ装置への返信方法には、ＴＤＤ（時分割多重）、あるいは、ＲＦＩＤタグ装置にて周波数を切り替えて返信するＦＤＤ（周波数分割）が可能である。
【００９１】
また、上述した第１乃至第４実施形態において、磁性体には、厚みが必要なセラミックの一種類であるフェライトコアの代わりに、単一、もしくは、複数の磁性体シートを適用することも可能である。これにより、ＲＦＩＤタグ装置の厚みが大幅に薄くなり、設置の自由度が大幅に高めることが可能である。
【００９２】
また、上述した第１乃至第４実施形態において、取得したペアリング情報をデータベースに自動登録する機能を備えるようにしてもよい。また。この場合、データベースは、図７、図８の制御装置１１００、１１０１である必要は無く、地理的に別の場所に設置されていてもよい。仮に、データベースが地理的に別の場所にある場合には、制御装置１１００、１１０１に蓄積されたペアリング情報を転送する手段として、無線接続、有線接続、あるいは、記憶媒体による情報の転送等が可能である。上記無線接続を行なう場合には、複数の無線基地局を経由する無線中継であってもよい。該無線伝送を行うには、ＲＦＩＤシステムの適用だけではなく、携帯電話、無線ＬＡＮ（Local Area Network）、ＷｉＭＡＸ（Worldwide Interoperability for Microwave Access）、ＰＨＳ（Personal Handyphone System）、特定小電力無線通信等を用いることが可能である。
【００９３】
また、上述した第１乃至第４実施形態において、対象とするペアリング情報を取得する端子、コネクタの種類、形状には依存しない。また、端子、コネクタ以外にも、ペアリング情報が必要な場合には当然本発明が適用可能である。
【００９４】
また、上述した第３または第４実施形態において、製造過程で端子１００７、１００８、端子１１０７−１〜１１０７−ｎ、１１０８−１〜１１０８−ｎへのＲＦＩＤタグ装置１００５、１００６、あるいはＲＦＩＤタグ装置１１０５−１〜１１０５−ｎ、１１０６−１〜１１０６−ｎを実装するソースタギング化することも当然可能である。また、ソースタギング実現時に実装コストを大幅に削減できることは当然可能である。
【図面の簡単な説明】
【００９５】
【図１】本第１実施形態によるＲＦＩＤリーダ装置の構成を示す模式図である。
【図２】本第１実施形態によるＲＦＩＤタグ装置の構成を示す模式図である。
【図３】本第１実施形態の変形例によるＲＦＩＤタグ装置１１０の構成を示す模式図である。
【図４】本第２実施形態によるＲＦＩＤリーダ装置の構成を示す模式図である。
【図５】本第２実施形態によるＲＦＩＤタグ装置の構成を示す模式図である。
【図６】本第２実施形態の変形例によるＲＦＩＤタグ装置２１０の構成を示す模式図である。
【図７】本第３実施形態によるＲＦＩＤシステムの構成を示す模式図である。
【図８】本第４実施形態によるＲＦＩＤシステムの構成を示す模式図である。
【図９】従来のＲＦＩＤシステムの構成、動作を説明するための模式図である。
【図１０】従来のＲＦＩＤシステムに用いられるＲＦＩＤリーダ装置の構成を示す模式図である。
【図１１】同システムのＲＦＩＤタグ装置の構成を示す模式図である。
【符号の説明】
【００９６】
１００  ＲＦＩＤリーダ装置
１０１  リーダ制御回路
１０２  リーダアンテナ
１０５  磁性体
１１０  ＲＦＩＤタグ装置
１１１  タグアンテナ
１１２  タグ制御回路
１１３、２１３  内部電池
２００  ＲＦＩＤリーダ装置
２０１  リーダ制御回路
２０２  リーダアンテナ
２１０  ＲＦＩＤタグ装置
２１１  タグアンテナ
２１２  タグ制御回路
２１５  磁性体
１００１  制御装置
１００２  リーダ接続装置
１００３  ＲＦＩＤリーダ装置
１００４  ＲＦＩＤリーダ装置
１００５  ＲＦＩＤタグ装置
１００６  ＲＦＩＤタグ装置
１００７  端子Ａ（コネクタ）
１００８  端子Ｂ（プラグ）
１１０１  制御装置
１１０２  リーダ接続装置
１１０３−１〜１１０３−ｎ  ＲＦＩＤリーダ装置
１１０４−１〜１１０４−ｎ  ＲＦＩＤリーダ装置
１１０５−１〜１１０５−ｎ  ＲＦＩＤタグ装置
１１０６−１〜１１０６−ｎ  ＲＦＩＤタグ装置
１１０７−１〜１１０７−ｎ  端子Ａ（コネクタ）
１１０８−１〜１１０８−ｎ  端子Ｂ（プラグ）
【図１】
2009070091.tif 000003
【図２】
2009070091.tif 000004
【図３】
2009070091.tif 000005
【図４】
2009070091.tif 000006
【図５】
2009070091.tif 000007
【図６】
2009070091.tif 000008
【図７】
2009070091.tif 000009
【図８】
2009070091.tif 000010
【図９】
2009070091.tif 000011
【図１０】
2009070091.tif 000012
【図１１】
2009070091.tif 000013